【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
ユーザに装着される案内提示装置であって、
前記ユーザによる特定の操作を受付けた際、目標位置が設定されていない場合に前記ユーザの現在位置を目標位置として設定し、又は、前記現在位置と予め設定されている目標位置とが近いと判定された場合に前記現在位置を目標位置として再設定する設定手段と、
前記特定の操作を受付けた際、前記現在位置と前記予め設定されている目標位置とが近くないと判定された場合、当該予め設定されている目標位置までの案内を提示する処理を開始させる制御手段と、
を備える案内提示装置。
【請求項２】
請求項１に記載の案内提示装置において、
前記制御手段が、前記案内を提示する処理を開始した後、前記特定の操作を受付けた際、前記現在位置と前記設定されている目標位置とが近いと判定された場合は、前記案内を提示する処理を終了させることを特徴とする案内提示装置。
【請求項３】
請求項１または請求項２に記載の案内提示装置において、
前記現在位置と目標位置までの案内とを、前記案内提示装置と接続可能な他の端末に要求する要求手段を更に備え、
前記設定手段は、前記特定の操作を受付けた際、目標位置が設定されていない場合は、前記要求手段に前記現在位置を前記他の端末に要求する処理を実行させ、又は、前記現在位置と予め設定されている目標位置とが近いと判定された場合、前記目標位置を再設定するために、前記要求手段に前記現在位置を前記他の端末に要求する処理を実行させ、
前記制御手段は、前記特定の操作を受付けた際、前記現在位置と前記設定されている目標位置とが近くないと判定された場合、前記設定されている目標位置までの前記案内を前記他の端末に要求する処理を前記要求手段に実行させることを特徴とする案内提示装置。
【請求項４】
請求項１から請求項３のいずれか１項に記載の案内提示装置において、
前記ユーザが使用する移動体に設置された車載装置から、当該移動体の駐車時の位置である駐車位置を取得することが可能であって、
前記設定手段は、前記特定の操作を受付けた際、目標位置が設定されていない場合であって、前記車載装置から駐車位置を取得している場合は、前記駐車位置を目標位置として設定し、又は、前記現在位置と前記予め設定されている目標位置とが近いと判定された場合であって、前記車載装置から駐車位置を取得している場合は、前記駐車位置を目標位置として再設定し、
前記設定手段は、前記特定の操作を受付けた際、目標位置が設定されていない場合であって、前記車載装置から駐車位置を取得していない場合は、前記現在位置を目標位置として設定し、又は、前記現在位置と前記予め設定されている目標位置とが近いと判定された場合であって、前記車載装置から駐車位置を取得していない場合は、前記現在位置を目標位置として再設定することを特徴とする案内提示装置。
【請求項５】
請求項１から請求項４のいずれか１項に記載の案内提示装置において、
前記ユーザが使用する移動体に設置された車載装置から、当該移動体の駐車位置を取得することが可能であって、
前記設定手段は、前記特定の操作を受付けた際、目標位置が設定されていない場合であって、前記車載装置から駐車位置を取得している場合は、前記駐車位置と、前記特定の操作を受付けた際の現在位置のうち、前記ユーザに選択された位置を目標位置として設定し、又は、前記現在位置と前記予め設定されている目標位置とが近いと判定された場合であって、前記車載装置から駐車位置を取得している場合は、前記駐車位置と、前記特定の操作を受付けた際の現在位置のうち、前記ユーザに選択された位置を目標位置として再設定することを特徴とする案内提示装置。
【請求項６】
請求項５に記載の案内提示装置において、
前記移動体の現在位置は、前記車載装置が有するセンサ情報取得部によって、前記移動体の移動方向および移動距離に基づき算出された現在位置であることを特徴とする案内提示装置。
【請求項７】
請求項１から請求項６のいずれか１項に記載の案内提示装置において、
前記現在位置と前記予め設定されている目標位置とが近いと判定された場合、前記ユーザが使用する移動体に対して特定の動作を起こす命令を前記移動体に設置された車載装置に送信する送信手段を、更に備えることを特徴とする案内提示装置。
【請求項８】
請求項１から請求項７のいずれか１項に記載の案内提示装置において、
前記ユーザが使用する移動体に設置された車載装置が有する撮影部によって撮影された画像に基づき算出された位置情報を、前記車載装置から取得し、
前記設定手段が、前記算出された位置情報を、前記目標位置として設定することを特徴とする案内提示装置。
【請求項９】
請求項１から請求項８のいずれか１項に記載の案内提示装置において、
前記設定手段は、ユーザが使用する移動体を駐車した駐車場の出入口のうち、前記ユーザが駐車場を出た際の出入口を設定し、
前記ユーザが駐車場に入った際の出入り口と前記設定された出入口が異なる場合は、前記ユーザが駐車場に入った際の出入り口と前記設定された出入口が同じ場合よりも詳細な案内を提示することを特徴とする案内提示装置。
【請求項１０】
ユーザに装着される案内装置における案内提示方法であって、
設定手段が、前記ユーザによる特定の操作を受付けた際、目標位置が設定されていない場合に前記ユーザの現在位置を目標位置として設定し、又は、前記現在位置と予め設定されている目標位置とが近いと判定された場合に前記現在位置を目標位置として再設定する設定ステップと、
制御手段が、前記特定の操作を受付けた際、前記現在位置と前記予め設定されている目標位置とが近くないと判定された場合、当該予め設定されている目標位置までの案内を提示する処理を開始させる制御ステップと、
を含む案内提示方法。
【請求項１１】
コンピュータを、請求項１から請求項９のいずれか１項に記載の案内提示装置として機能させることを特徴とする案内提示装置用プログラム。
【手続補正２】
【補正対象書類名】明細書
【補正対象項目名】０００６
【補正方法】変更
【補正の内容】
【０００６】
上記課題を解決するため、請求項１に記載の発明は、ユーザに装着される案内提示装置であって、前記ユーザによる特定の操作を受付けた際、目標位置が設定されていない場合に前記ユーザの現在位置を目標位置として設定し、又は、前記現在位置と予め設定されている目標位置とが近いと判定された場合に前記現在位置を目標位置として再設定する設定手段と、前記特定の操作を受付けた際、前記現在位置と前記予め設定されている目標位置とが近くないと判定された場合、当該予め設定されている目標位置までの案内を提示する処理を開始させる制御手段と、を備える。
【手続補正３】
【補正対象書類名】明細書
【補正対象項目名】０００７
【補正方法】変更
【補正の内容】
【０００７】
また請求項１０に記載の発明は、ユーザに装着される案内装置における案内提示方法であって、設定手段が、前記ユーザによる特定の操作を受付けた際、目標位置が設定されていない場合に前記ユーザの現在位置を目標位置として設定し、又は、前記現在位置と予め設定されている目標位置とが近いと判定された場合に前記現在位置を目標位置として再設定する設定ステップと、制御手段が、前記特定の操作を受付けた際、前記現在位置と前記予め設定されている目標位置とが近くないと判定された場合、当該予め設定されている目標位置までの案内を提示する処理を開始させる制御ステップと、を含む。
【手続補正４】
【補正対象書類名】明細書
【補正対象項目名】発明の名称
【補正方法】変更
【補正の内容】
【発明の名称】案内提示装置、案内提示方法、および、案内提示装置用プログラム